(57)【特許請求の範囲】
【請求項１】
表枠用鉤部を一体的に設けた表枠施錠杆が、本体ケース内に、該表枠用鉤部を背面側に突き出し且つ摺動可能に配設され、ガラス枠用鉤部を一体的に設けたガラス枠施錠杆が、該本体ケース内に、該ガラス枠用鉤部を正面側に突き出し且つ摺動可能に配設され、該本体ケースに設けた錠取付部にシリンダ錠が取り付けられ、該シリンダ錠の錠軸の先端に前記表枠施錠杆及びガラス枠施錠杆と係合可能なカム部材が固定され、該本体ケースが遊技機の表枠に縦に取付けられ、遊技機の本体枠に取付けられた受け金具に該表枠用鉤部を係止させて該表枠を施錠し、遊技機のガラス枠に取付けられた受け金具に該ガラス枠用鉤部を係止させて該ガラス枠を施錠する遊技機用施錠装置において、
該本体ケースは、縦長で正面幅が前後幅より短い薄型の方形箱状に形成され、略帯板状に形成された該表枠施錠杆及び該ガラス枠施錠杆が重ね合わせた状態で該本体ケース内に収納され、
該本体ケースの正面壁の一部を該本体ケースの側部開放側に延設して該シリンダ錠用の錠取付部が形成され、該シリンダ錠は錠軸に固定した該カム部材を該錠取付部の内側に位置させて取り付けられ、
該表枠施錠杆には表枠ロック機構が該カム部材の近傍位置に揺動可能に枢支され、
該表枠ロック機構は枢軸を介して該表枠施錠杆に枢支された略Ｌ字型の第１ロック部材と該第１ロック部材に連結軸を介して連結され該カム部材に当接して該表枠施錠杆の移動を阻止する第２ロック部材とを有し、
該第１ロック部材の先端には、該本体ケースから突出して該表枠の施錠時、該受け金具に当接して該第１ロック部材をロック位置とする当接部が設けられ、該第１ロック部材と該第２ロック部材間にコイルばねが掛けられるとともに、該第１ロック部材と該表枠施錠杆との間にコイルばねが掛けられ、
該ガラス枠施錠杆にはガラス枠ロック機構が該カム部材の近傍位置に揺動可能に枢支され、
該ガラス枠ロック機構は枢軸を介して該ガラス枠施錠杆に枢支された略Ｌ字型の第１ロック部材と該第１ロック部材に連結軸を介して連結され該カム部材に当接して該ガラス枠施錠杆の移動を阻止する第２ロック部材とを有し、
該第１ロック部材の先端には、該本体ケースから突出して該ガラス枠の施錠時、該受け金具またはガラス枠に当接して該第１ロック部材をロック位置とする当接部が設けられ、該第１ロック部材と該第２ロック部材間にコイルばねが掛けられるとともに、該第１ロック部材と該ガラス枠施錠杆との間にコイルばねが掛けられ、
該表枠を閉じて施錠するとき、該表枠施錠杆が移動し、該表枠ロック機構の該第１ロック部材の該当接部が受け金具に当接して、該表枠ロック機構の該第１ロック部材と該第２ロック部材が揺動し、該第２ロック部材の先端が該カム部材との対向位置に進入して、施錠状態での該表枠施錠杆の不正移動を阻止し、
該ガラス枠を閉じて施錠するとき、該ガラス枠施錠杆が移動し、該ガラス枠ロック機構の該第１ロック部材の該当接部が受け金具またはガラス枠に当接して、該ガラス枠ロック機構の該第１ロック部材と該第２ロック部材が揺動し、該第２ロック部材の先端が該カム部材との対向位置に進入して、施錠状態での該ガラス枠施錠杆の不正移動を阻止することを特徴とする遊技機用施錠装置。
【請求項２】
前記表枠ロック機構の第１ロック部材と第２ロック部材は前記表枠施錠杆の長手方向に沿って連結配置され、前記ガラス枠ロック機構の第１ロック部材と第２ロック部材は前記ガラス枠施錠杆の長手方向に沿って連結配置され、該表枠ロック機構及び該ガラス枠ロック機構の該第１ロック部材に設けられて前記受け金具に当接する当接部は、正面側または背面側に向けて略Ｌ字状に形成されたことを特徴とする請求項１記載の遊技機用施錠装置。
【請求項３】
前記本体ケース内に重ね合わせて配設された前記表枠施錠杆及びガラス枠施錠杆の間に、前記表枠ロック機構及びガラス枠ロック機構の第１ロック部材及び第２ロック部材が揺動可能に枢支され、前記カム部材が施錠状態にあるとき、該カム部材の係合凸部が該表枠施錠杆または該ガラス枠施錠杆に設けた開口部から該表枠施錠杆と該ガラス枠施錠杆の間に進入し該第２ロック部材の先端に当接可能とされたことを特徴とする請求項２記載の遊技機用施錠装置。
【発明の詳細な説明】
【技術分野】
【０００１】
本発明は、パチンコ機などの遊技機の表枠及びガラス枠を施錠する施錠装置に関し、特に、遊技機の表枠及びガラス枠の不正解錠を効果的に防止し得る遊技機用施錠装置に関する。
【背景技術】
【０００２】
例えば、パチンコ機の前面枠（表枠）を本体枠に対し施錠する施錠装置として、下記特許文献１に記載されるように、断面Ｌ字状の取付板と支持板からなる基枠の上部と下部に鉤部材が傾動可能に枢支され、基枠内の支持板に沿って連結杆が上部と下部の鉤部材を連結して摺動可能に配設され、取付板の中間部にシリンダ錠がその錠軸を取付板に設けた孔から内側に差込むように固定され、錠軸の先端に連結杆と係合するカム部材が固定された構造の施錠装置が知られている。
【先行技術文献】
【特許文献】
【０００３】
【特許文献１】特開２００３−２６０２４４号公報
【発明の概要】
【発明が解決しようとする課題】
【０００４】
この種の施錠装置は、施錠状態において、連結杆に針金などの不正器具を引っ掛けて解錠方向に引いた場合、連結杆の移動とともに上下の鉤部材が傾動し、本体枠側に固定した受け金具との係止を外して、不正解錠が行われる可能性があった。
【０００５】
そこで、上記施錠装置では、基枠内に連結杆の一部にロック部材を揺動可能に軸支し、施錠状態で、解錠側に連結杆が引かれた場合、このロック部材をカム部材に係合させ、これにより、連結杆の解錠側への移動を阻止する構造としている。
【０００６】
しかし、このロック部材には、遊技機の前面枠を閉じたとき、ロック部材をロック位置に回動させ、前面枠を開放したとき、ロック部材による連結杆のロックを解除する必要があるため、ロック作動部材がロック部材と同じ枢軸により軸支される構成となっている。
【０００７】
このため、ロック作動部材の先端が大きく施錠装置の反シリンダ錠側に突き出す形態となり、前面枠を開放したとき、そのロック作動杆が作業の邪魔となる不具合があった。さらに、前面枠を閉じて施錠する際、ロック作動部材の先端が当接してロック作動部材とロック部材を回動させるための当て板を、遊技機の本体枠側に、別に取り付ける必要があり、部品点数の増大とともに、そのための取付作業の工数が増大する問題があった。
【０００８】
また、上記施錠装置は、前面枠施錠用の鉤部材に連結された連結杆をロックするのみであるため、同じ施錠装置内にガラス枠用の施錠杆が設けられる場合、ガラス枠用施錠杆をロックすることができないという課題があった。
【０００９】
本発明は、上記の課題を解決するためになされたもので、簡易な構造で、表枠施錠杆及びガラス枠施錠杆を不正に移動させる不正解錠を防止することができる遊技機用施錠装置を提供することを目的とする。
【課題を解決するための手段】
【００１０】
上記目的を達成するために、本発明の施錠装置は、
表枠用鉤部を一体的に設けた表枠施錠杆が、本体ケース内に、該表枠用鉤部を背面側に突き出し且つ摺動可能に配設され、ガラス枠用鉤部を一体的に設けたガラス枠施錠杆が、該本体ケース内に、該ガラス枠用鉤部を正面側に突き出し且つ摺動可能に配設され、該本体ケースに設けた錠取付部にシリンダ錠が取り付けられ、該シリンダ錠の錠軸の先端に前記表枠施錠杆及びガラス枠施錠杆と係合可能なカム部材が固定され、該本体ケースが遊技機の表枠に縦に取付けられ、遊技機の本体枠に取付けられた受け金具に該表枠用鉤部を係止させて該表枠を施錠し、遊技機のガラス枠に取付けられた受け金具に該ガラス枠用鉤部を係止させて該ガラス枠を施錠する遊技機用施錠装置において、
該本体ケースは、縦長で正面幅が前後幅より短い薄型の方形箱状に形成され、略帯板状に形成された該表枠施錠杆及び該ガラス枠施錠杆が重ね合わせた状態で該本体ケース内に収納され、
該本体ケースの正面壁の一部を該本体ケースの側部開放側に延設して該シリンダ錠用の錠取付部が形成され、該シリンダ錠は錠軸に固定した該カム部材を該錠取付部の内側に位置させて取り付けられ、
該表枠施錠杆には表枠ロック機構が該カム部材の近傍位置に揺動可能に枢支され、
該表枠ロック機構は枢軸を介して該表枠施錠杆に枢支された略Ｌ字型の第１ロック部材と該第１ロック部材に連結軸を介して連結され該カム部材に当接して該表枠施錠杆の移動を阻止する第２ロック部材とを有し、
該第１ロック部材の先端には、該本体ケースから突出して該表枠の施錠時、該受け金具に当接して該第１ロック部材をロック位置とする当接部が設けられ、該第１ロック部材と該第２ロック部材間にコイルばねが掛けられるとともに、該第１ロック部材と該表枠施錠杆との間にコイルばねが掛けられ、
該ガラス枠施錠杆にはガラス枠ロック機構が該カム部材の近傍位置に揺動可能に枢支され、
該ガラス枠ロック機構は枢軸を介して該ガラス枠施錠杆に枢支された略Ｌ字型の第１ロック部材と該第１ロック部材に連結軸を介して連結され該カム部材に当接して該ガラス枠施錠杆の移動を阻止する第２ロック部材とを有し、
該第１ロック部材の先端には、該本体ケースから突出して該ガラス枠の施錠時、該受け金具またはガラス枠に当接して該第１ロック部材をロック位置とする当接部が設けられ、該第１ロック部材と該第２ロック部材間にコイルばねが掛けられるとともに、該第１ロック部材と該ガラス枠施錠杆との間にコイルばねが掛けられ、
該表枠を閉じて施錠するとき、該表枠施錠杆が移動し、該表枠ロック機構の該第１ロック部材の該当接部が受け金具に当接して、該表枠ロック機構の該第１ロック部材と該第２ロック部材が揺動し、該第２ロック部材の先端が該カム部材との対向位置に進入して、施錠状態での該表枠施錠杆の不正移動を阻止し、
該ガラス枠を閉じて施錠するとき、該ガラス枠施錠杆が移動し、該ガラス枠ロック機構の該第１ロック部材の該当接部が受け金具またはガラス枠に当接して、該ガラス枠ロック機構の該第１ロック部材と該第２ロック部材が揺動し、該第２ロック部材の先端が該カム部材との対向位置に進入して、施錠状態での該ガラス枠施錠杆の不正移動を阻止することを特徴とする。
【００１１】
この発明によれば、遊技機の表枠を施錠する表枠施錠杆とともにガラス枠を施錠するガラス枠施錠杆の両方を、施錠時にロックして、不正器具による不正解錠を防止することができる。さらに、表枠ロック機構の第１ロック部材の当接部とガラス枠ロック機構の第１ロック部材の当接部が本体ケースの背面側または正面側に突き出す際の突出長は僅かとなるため、当接部の突出が組み付け作業などの邪魔になることはない。また、表枠ロック機構、ガラス枠ロック機構ともに、受け金具またはガラス枠に当接部が当接するため、別に当て板を本体枠などに取り付ける必要がなく、部品点数や組付工数を削減することができる。さらに、本体ケースが前後幅より正面幅の短い薄型の方形箱状に形成されるため、本体ケースが十分な強度を保持しつつ薄型化され、遊技機の表枠の狭小な部分にも装着することができる。
【００１２】
ここで、上記表枠ロック機構の第１ロック部材と第２ロック部材は、上記表枠施錠杆の長手方向に沿って連結配置され、上記ガラス枠ロック機構の第１ロック部材と第２ロック部材は前記ガラス枠施錠杆の長手方向に沿って連結配置され、該表枠ロック機構及び該ガラス枠ロック機構の該第１ロック部材に設けられて前記受け金具に当接する当接部は、正面側または背面側に向けて略Ｌ字状に形成することができる。これによれば、第１ロック部材の当接部が本体ケースの背面側または正面側に突き出す際の突出長は更に少なくすることができる。
【００１４】
さらに、上記本体ケース内に重ね合わせて配設された上記表枠施錠杆及びガラス枠施錠杆の間に、上記表枠ロック機構及びガラス枠ロック機構の第１ロック部材及び第２ロック部材が揺動可能に枢支され、上記カム部材が施錠状態にあるとき、カム部材の係合凸部は表枠施錠杆またはガラス枠施錠杆に設けた開口部から表枠施錠杆とガラス枠施錠杆の間に進入し該第２ロック部材の先端に当接可能とすることができる。これによれば、表枠ロック機構及びガラス枠ロック機構の第１ロック部材及び第２ロック部材が本体ケース内に収納された表枠施錠杆またはガラス枠施錠杆によって完全に覆われるため、一層効果的に不正解錠を防止することができる。
【発明の効果】
【００１５】
本発明の遊技機用施錠装置によれば、簡易な構造で、表枠施錠杆及びガラス枠施錠杆をロックし、当該施錠杆を不正に移動させて行う不正解錠を防止することができる。
【図面の簡単な説明】
【００１６】
【図１】本発明の一実施例を示す施錠装置の正面図である。
【図２】その左側面図である。
【図３】その右側面図である。
【図４】同施錠装置の背面図である。
【図５】同施錠装置の底面図である。
【図６】同施錠装置の平面図である。
【図７】同施錠装置の正面側から見た斜視図である。
【図８】同施錠装置の背面側から見た斜視図である。
【図９】同施錠装置の正面側から見た分解斜視図である。
【図１０】同施錠装置の背面側から見た分解斜視図である。
【図１１】表枠施錠杆を切り欠いて、内部のロック機構を現した状態の部分拡大左側面図である。
【図１２】本体ケースを仮想線として、内部のロック機構を現した状態の部分拡大左側面図である。
【図１３】表枠を施錠する際の表枠ロック機構の動作を示す部分拡大説明図である。
【図１４】表枠を施錠する際の表枠ロック機構の動作を示す部分拡大説明図である。
【図１５】表枠を施錠する際の表枠ロック機構の動作を示す部分拡大説明図である。
【図１６】ガラス枠を施錠する際のガラス枠ロック機構の動作を示す部分拡大説明図である。
【図１７】ガラス枠を施錠する際のガラス枠ロック機構の動作を示す部分拡大説明図である。
【図１８】ガラス枠を施錠する際のガラス枠ロック機構の動作を示す部分拡大説明図である。
【図１９】表枠を解錠する際のカム部材近傍を示す部分拡大説明図である。
【図２０】ガラス枠を解錠する際のカム部材近傍を示す部分拡大説明図である。
【発明を実施するための形態】
【００１７】
以下、本発明の実施例を図面に基づいて説明する。この遊技機用施錠装置は、概略的には、図１〜図４に示すように、上部、中間部及び下部に表枠用鉤部２１，２２，２３を一体的に設けた表枠施錠杆２が、本体ケース１内に、表枠用鉤部２１，２２，２３を背面側に突き出し且つ摺動可能に配設され、さらに、上部、中間部及び下部にガラス枠用鉤部３１，３２，３３を一体的に設けたガラス枠施錠杆３が、本体ケース１内に、ガラス枠用鉤部３１，３２，３３を正面側に突き出し且つ摺動可能に配設される。
【００１８】
本体ケース１に設けた錠取付部１１にはシリンダ錠４が取り付けられ、シリンダ錠４の錠軸４１の先端に表枠施錠杆２及びガラス枠施錠杆３と係合可能なカム部材７が固定される。本体ケース１は遊技機の表枠４６に縦に取付けられ、遊技機の本体枠４５に取付けられた受け金具１８に表枠用鉤部２１，２２，２３を係止させて表枠４６を施錠し、遊技機のガラス枠４７に取付けられた受け金具１９にガラス枠用鉤部３１，３２，３３を係止させてガラス枠４７を施錠するように、遊技機用施錠装置は構成される。
【００１９】
本体ケース１は、図９，１０に示すように、縦長の薄い方形箱状に形成され、前後幅より正面幅が短く形成される。また、略帯板状に形成された表枠施錠杆２及びガラス枠施錠杆３が重ね合わせた状態で本体ケース１内に収納可能な形状に形成されている。本体ケース１には、その正面壁の下部寄りの一部を本体ケース１の側部開放側に延設して、シリンダ錠用の錠取付部１１が形成されている。錠取付部１１にはシリンダ錠４を挿入するための略円形の開口部が設けられ、シリンダ錠４は内側からその円筒部を外側に挿入し、そのフランジ部４２を錠取付部１１の内側に当接して固定ねじ等で締付固定される。内側に突き出したシリンダ錠４の錠軸４１には、１対の係合凸部７１，７２を有したカム部材７が固定される。
【００２０】
カム部材７は解錠操作時に回動して、表枠施錠杆２及びガラス枠施錠杆３を解錠側に移動させるように動作するとともに、施錠状態において、表枠ロック機構５及びガラス枠ロック機構６の端部が当接可能とされ、表枠施錠杆２及びガラス枠施錠杆３の不正な解錠側への移動を阻止して、不正解錠を防止する。
【００２１】
解錠時、シリンダ錠４は、差し込んだ鍵を右に回したとき、カム部材７の上側に位置する係合凸部７１が下に回動し、表枠施錠杆２を下方に摺動させて表枠４６を解錠動作する。また、シリンダ錠４に差し込んだ鍵を左に回したとき、カム部材７の下側に位置する係合凸部７２が上に回動し、ガラス枠施錠杆３が上方に摺動されてガラス枠４７を解錠動作するようになっている。
【００２２】
図９，１０に示すように、本体ケース１の正面側（錠取付部１１の側）には、上部、中間部、及び下部の３箇所に、スリット１３が形成され、ガラス枠施錠杆３の上部、中間部、及び下部から前方に突設されたガラス枠用鉤部３１，３２，３３が各スリット１３から前方に突出する。同様に、本体ケース１の背面側（錠取付部１１と反対側）には、上部、中間部、及び下部の３箇所に、スリット状開口部１２が形成され、表枠施錠杆２の上部、中間部、及び下部から前方に突設された表枠用鉤部２１，２２，２３が各スリット状開口部１２から後方に突出するようになっている。
【００２３】
なお、本体ケース１の開口した左側面には、表枠施錠杆２、ガラス枠施錠杆３などの必要部品を収納した状態で、図示しないカバーが開口部を閉鎖するように取り付けられるが、その際、カバーを取り付けるための取付縁部１４が本体ケース１の背面側に直角に曲折して設けられている。
【００２４】
図９，１０に示すように、表枠施錠杆２は縦長の略帯板状に形成され、その上部、下部、及び中間部下寄りに、表枠用鉤部２１，２２，２３が背面側に突き出すように突設される。表枠用鉤部２１，２２，２３の係止部は上向きに形成され、表枠の閉鎖時、表枠施錠杆２がばね力で上昇し、本体枠側の受け金具１８に各表枠用鉤部２１，２２，２３が係止される構造である。表枠施錠杆２の中間部下寄りには、カム部材７の係合凸部７１と係合可能なカム係合部２４が形成される。図９、１０に示すように、表枠施錠杆２の上部、中間部及び下部には、長孔状のガイド孔２７が形成され、それらのガイド孔２７にガイドピン２８を挿入し、ガイドピン２８の先端を本体ケース１の内側に固定することにより、表枠施錠杆２は本体ケース１内でガイド孔２７とガイドピン２８にガイドされ、所定の上下幅で摺動可能に支持される。
【００２５】
なお、表枠施錠杆２は本体ケース１内における最も外側（カム部材７に近い側）に位置し、その内側に表枠ロック機構５、ガラス枠ロック機構６及びガラス枠施錠杆３が配設される。カム部材７の係合凸部７１，７２がそれらに係合する必要があるため、表枠施錠杆２のカム係合部２４の上下には長方形の開口部が形成され、カム部材７の係合凸部７１，７２がその開口部から内側に進入することができるようなっている。図例の実施形態では、表枠施錠杆２が本体ケース１内における最も外側に位置し、その内側に表枠ロック機構５、ガラス枠ロック機構６及びガラス枠施錠杆３が配設されるが、表枠施錠杆２とガラス枠施錠杆３の位置を逆にして、ガラス枠施錠杆３が本体ケース１内における最も外側に位置するように配設することもできる。
【００２６】
一方、ガラス枠施錠杆３は表枠施錠杆２と同様に縦長の略帯板状に形成され、その上部、下部、及び中間部下寄りに、ガラス枠用鉤部３１，３２，３３が正面側に突き出すように突設される。ガラス枠用鉤部３１，３２，３３の係止部は下向きに形成され、ガラス枠の閉鎖時、ガラス枠施錠杆３がばね力で下降し、表枠側の受け金具１９に各ガラス枠用鉤部３１，３２，３３が係止される構造となっている。ガラス枠施錠杆３の中間部下寄りには、カム部材７の係合凸部７２と係合可能なカム係合部３４が形成される。カム係合部３４の上下部分は、カム部材７の回動時、カム部材７の係合凸部７１，７２が進入できるように開口している。
【００２７】
図９，１０に示すように、ガラス枠施錠杆３の上部、中間部及び下部には、長孔状のガイド孔３７が形成され、それらのガイド孔３７に上記ガイドピン２８を挿入しその先端を本体ケース１の内側に固定することにより、ガラス枠施錠杆３は本体ケース１内で所定の上下幅で摺動可能に支持されることとなる。
【００２８】
図９，１０に示すように、上記表枠施錠杆２とガラス枠施錠杆３間には、コイルばね２５が掛け渡され、コイルばね２５は、表枠４６を閉じたとき、一旦下降した表枠施錠杆２を施錠位置まで上昇させ、或いはガラス枠４７を閉じたとき、一旦上昇したガラス枠施錠杆３を施錠位置まで下降させるように、表枠施錠杆２及びガラス枠施錠杆３を付勢する。
【００２９】
上述の如く表枠施錠杆２及びガラス枠施錠杆３は、上下に摺動可能であり、コイルばね２５が掛けられた状態であるため、施錠状態であっても、針金などの不正器具により解錠方向に引っ張られた場合、解錠方向に移動する可能性がある。このため、図１１，１２に示すように、表枠施錠杆２には表枠ロック機構５がカム部材７の近傍位置に揺動可能に枢支され、ガラス枠施錠杆３にはガラス枠ロック機構６がカム部材７の近傍位置に揺動可能に枢支される。
【００３０】
表枠ロック機構５とガラス枠ロック機構６は、本体ケース１内の表枠施錠杆２とガラス枠施錠杆３との間に配設される。つまり、表枠施錠杆２の内側に表枠ロック機構５が配設され、ガラス枠施錠杆３と表枠施錠杆２間にガラス枠ロック機構６が配設され、これにより、表枠ロック機構５とガラス枠ロック機構６は、外部に対し覆われて（隠されて）配設され、針金などの不正器具が届きにくくしている。
【００３１】
表枠ロック機構５は、枢軸５４を介して表枠施錠杆２に枢支された略Ｌ字型の第１ロック部材５１と、第１ロック部材５１に連結軸５５を介して連結され、カム部材７に当接して表枠施錠杆２の移動を阻止する第２ロック部材５２と、を有して構成される。第１ロック部材５１の先端（下端）には、本体ケース１から突出し、表枠４６の施錠時、本体枠４５側の受け金具１８に当接して第１ロック部材５１をロック位置とする当接部５０が設けられ、第１ロック部材５１と第２ロック部材５２間にコイルばね５３が掛けられるとともに、第１ロック部材５１と表枠施錠杆２との間にコイルばね５６（図１１）が掛けられている。
【００３２】
一方、ガラス枠ロック機構６は、枢軸６４を介してガラス枠施錠杆３に枢支された略Ｌ字型の第１ロック部材６１と、第１ロック部材６１に連結軸６５を介して連結されカム部材７に当接してガラス枠施錠杆３の移動を阻止する第２ロック部材６２と、を有して構成される。第１ロック部材６１の先端には、本体ケース１から突出し、ガラス枠の施錠時、受け金具またはガラス枠に当接して第１ロック部材６１をロック位置とする当接部６０が設けられている。また、第１ロック部材６１と第２ロック部材６２間には、コイルばね６３が掛けられるとともに、第１ロック部材６１とガラス枠施錠杆３との間にコイルばね６６（図１１）が掛けられている。
【００３３】
図１１に示す如く、表枠ロック機構５の第１ロック部材５１と第２ロック部材５２は、表枠施錠杆２の長手方向に沿って連結配置され、ガラス枠ロック機構６の第１ロック部材６１と第２ロック部材６２はガラス枠施錠杆３の長手方向に沿って連結配置される。表枠ロック機構５及びガラス枠ロック機構６の第１ロック部材５１，６１に設けられ、受け金具１８，１９に当接する当接部５０，６０は、各々、略Ｌ字形に形成された部分が、背面側または正面側の突出するように構成され、さらに、表枠ロック機構５及びガラス枠ロック機構６の第２ロック部材５２，６２の先端は、カム部材７の係合凸部７１，７２に対向し、当接可能として、施錠状態で、表枠施錠杆２及びガラス枠施錠杆３の解錠側への移動を阻止するようになっている。
【００３４】
つまり、表枠ロック機構５は、図１１に示すように、枢軸５４を介して表枠施錠杆２に枢支された略Ｌ字型の第１ロック部材５１を有し、第１ロック部材５１には連結軸５５を介して第２ロック部材５２が長手方向に沿って連結される。ガラス枠ロック機構６は、枢軸６４を介してガラス枠施錠杆３に枢支された略Ｌ字型の第１ロック部材６１を有し、第１ロック部材６１には連結軸６５を介して第２ロック部材６２が長手方向に沿って連結される。
【００３５】
これらの表枠ロック機構５の第１ロック部材５１と第２ロック部材５２は長手方向に連結されるため縦長の本体ケース１内に収納される形態となり、ガラス枠ロック機構６の第１ロック部材６１と第２ロック部材６２も、長手方向に連結されるため、縦長の本体ケース１内に収納される形態となる。このため、本体枠４５側またはガラス枠４７側の受け金具１８，１９に当接可能の突出する表枠ロック機構５の第１ロック部材５１の当接部５０の突出長、及びガラス枠ロック機構６の第１ロック部材６１の当接部６０の突出長は、本体ケース１の背面側または正面側に突き出す際、極短く最小となっている。
【００３６】
上記構成の表枠ロック機構５は、表枠４６を閉じて施錠するとき、表枠施錠杆２が移動する際、表枠ロック機構５の第１ロック部材５１の当接部５０が受け金具１８に当接して、表枠ロック機構５の第１ロック部材５１と第２ロック部材５２が揺動してカム部材７との係合を逃げながら、第２ロック部材５２の先端がカム部材７との対向位置に進入して、表枠施錠杆の不正移動を阻止する状態となるように構成される。また、ガラス枠ロック機構６は、ガラス枠４７を閉じて施錠するとき、ガラス枠施錠杆３が移動する際、ガラス枠ロック機構６の第１ロック部材６１の当接部６０が受け金具１９またはガラス枠４７に当接して、ガラス枠ロック機構６の第１ロック部材６１と第２ロック部材６２が揺動してカム部材７との係合を逃げながら、第２ロック部材６２の先端がカム部材７との対向位置に進入して、ガラス枠施錠杆３の不正移動を阻止する構造となっている。
【００３７】
ところで、シリンダ錠４は、その構造上、鍵を鍵穴から引き抜いた状態で、内部のタンブラーピンがシリンダ内の係合孔に係合し、シリンダ錠の錠軸はロックされた状態となる。このため、シリンダ錠４は、鍵を鍵穴から引き抜いた状態で、その錠軸４１がロックされ、カム部材７は回動できない。このため、施錠状態で表枠施錠杆２の解錠側への移動を阻止し、ガラス枠施錠杆３の解錠側への移動を阻止するために、表枠ロック機構５の第２ロック部材５２をカム部材７に当接可能に対向させ、ガラス枠ロック機構６の第２ロック部材６２をカム部材７に当接可能に対向させている。つまり、鍵を鍵穴から抜いた施錠時には、表枠施錠杆２が表枠ロック機構５によってロックされ、ガラス枠施錠杆３がガラス枠ロック機構６によってロックされることになる。
【００３８】
このように構成された施錠装置は、図２、３に示すように、パチンコ機の表枠４６の内側に、シリンダ錠４の先端を前面に露出させ、表枠用鉤部２１，２２，２３をパチンコ機の本体枠４５側に突出した状態で、本体ケース１が縦に固定される。
【００３９】
一方、本体枠４５の内側の表枠用鉤部２１，２２，２３に対応した各位置には、図２、３のように、受け金具１８が各々固定される。また、表枠４６の前面に開閉可能に装着されたガラス枠４７には、ガラス枠施錠杆３のガラス枠用鉤部３１，３２，３３に対応した３箇所に、ガラス枠用の受け金具１９が各々設けられる。なお、ガラス枠用の受け金具１９はガラス枠の一部として形成することもできる。
【００４０】
次に、上記構成の遊技機用施錠装置の動作を、図１３〜図２０を参照して説明する。なお、図では、ケース内の最も外側に位置する表枠施錠杆２を透明表示し、表枠ロック機構５及びガラス枠ロック機構６の動作を見やすく図示している。
【００４１】
パチンコ機の表枠４６を本体枠４５に対し閉じると、図１３，１４のように、先ず、施錠装置の表枠用鉤部２１，２２，２３の各先端傾斜部が本体枠４５側の各受け金具１８に当るとともに表枠ロック機構５の当接部５０が受け金具１８に当接し、第１ロック部材５１が図１３の反時計方向に僅かに回動し、第２ロック部材５２が第１ロック部材５１に対し連結軸５５を介して逆に時計方向に僅かに回動する。
【００４２】
このため、図１３から図１４に示すように、表枠ロック機構５の第２ロック部材５２の先端がカム部材７から逃げるように回動し、その状態で、表枠ロック機構５を含む表枠施錠杆２が下方に移動する。そして、受け金具１８が表枠用鉤部２１，２２，２３の係止凹部に達したとき、図１５に示すように、表枠用鉤部２１，２２，２３つまり表枠施錠杆２がコイルばね２５の付勢力により元に位置に戻り、表枠用鉤部２１，２２，２３が各々受け金具１８に係止され、施錠状態となる。この状態で、図１５に示すように、表枠ロック機構５の第２ロック部材５２の先端がカム部材７の係合凸部７１と対向する位置に入る。
【００４３】
この後、シリンダ錠４からキーを引き抜くと、錠軸４１、カム部材７がロックされ、図１５のように、カム部材７の係合凸部７１が第２ロック部材５２の先端に当接する位置になるため、表枠施錠杆２はロックされる。よって、このような施錠状態で、表枠４６と本体枠４５の隙間等から針金等を差し込み、表枠施錠杆２や表枠用鉤部２１，２２，２３を解錠方向（下方）に摺動させようとしても、摺動は不可能となり、不正解錠を防止することができる。
【００４４】
また、本施錠装置は、遊技機に使用される通常のシリンダ錠４が、鍵穴にキーを差し込むと、錠軸４１の回転が可能となり、キーを引き抜いた場合、錠軸４１がロックされることを利用したものであり、簡単な構成の表枠ロック機構５によって、施錠時における表枠施錠杆２のロックを行い、極めて低コストで不正解錠を防止することができる。
【００４５】
一方、パチンコ機のガラス枠４７を表枠４６に対し閉じると、図１６に示すように、先ず、施錠装置のガラス枠用鉤部３１，３２，３３の各先端傾斜部が表枠４６側の各受け金具１９に当るとともにガラス枠ロック機構６の当接部６０に受け金具１９が当接し、第１ロック部材６１が図１７の反時計方向に僅かに回動し、第２ロック部材６２が第１ロック部材６１に対し連結軸６５を介して逆に時計方向に僅かに回動する。このため、図１６から図１７に示すように、ガラス枠ロック機構６の第２ロック部材６２の先端がカム部材７から逃げるように回動し、その状態で、ガラス枠ロック機構６を含むガラス枠施錠杆３が上方に移動する。
【００４６】
そして、受け金具１９がガラス枠用鉤部３１，３２，３３の係止凹部に達したとき、図１８に示すように、ガラス枠用鉤部３１，３２，３３つまりガラス枠施錠杆３がコイルばね２５の付勢力により元に位置に戻り、ガラス枠用鉤部３１，３２，３３が各々受け金具１９に係止され、施錠状態となる。この状態で、図１８に示すように、ガラス枠ロック機構６の第２ロック部材６２の先端がカム部材７の係合凸部７２と対向する位置に入る。
【００４７】
この後、シリンダ錠４からキーを引き抜くと、錠軸４１、カム部材７がロックされ、図１８のように、カム部材７の係合凸部７２が第２ロック部材６２の先端に当接する位置になるため、ガラス枠施錠杆３はロックされる。よって、このような施錠状態で、ガラス枠４７と表枠４６等の隙間から針金等を差し込み、ガラス枠施錠杆３やガラス枠用鉤部３１，３２，３３を解錠方向（上方）に摺動させようとしても、摺動は不可能となり、不正解錠を防止することができる。
【００４８】
一方、表枠４６を解錠する場合は、キーによってシリンダ錠４の錠軸４１を右に回し、カム部材７を右に回転させる。このとき、カム部材７の係合凸部７１が図１９に示すように、表枠施錠杆２のカム係合部２４に係合してこれを下方へ摺動させ、表枠用鉤部２１，２２，２３を下に移動させる。この表枠用鉤部２１，２２，２３の下移動によって、本体枠４５の受け金具１８との係合が外れ、表枠４６は開放可能な状態となる。このような表枠施錠杆２の下降摺動時、表枠施錠杆２の内側に軸支される表枠ロック機構５も下降するが、仮に第２ロック部材５２の下端がカム部材７の係合凸部７１に接触した場合でも、第２ロック部材５２はその接触を回避する側に回動して逃げるため、表枠施錠杆２の下降が妨げられることはなく、図１９のように表枠施錠杆２が適正に下降して解錠動作が行なわれる。
【００４９】
他方、ガラス枠４７を解錠する場合は、シリンダ錠４に差し込んだキーを左に回し、錠軸４１及びカム部材７を左に回転させる。このとき、カム部材７の係合凸部７２が図２０に示すように、ガラス枠施錠杆３のカム係合部３４に係合してこれを上方へ摺動させ、ガラス枠用鉤部３１，３２，３３を上に移動させる。このガラス枠用鉤部３１，３２，３３の上移動によって、ガラス枠４７の受け金具１９との係合が外れ、ガラス枠４７は開放可能な状態となる。このようなガラス枠施錠杆３の上昇時、ガラス枠施錠杆３の内側に軸支されるガラス枠ロック機構６も上昇するが、仮に第２ロック部材６２の上端がカム部材７の係合凸部７２に接触した場合でも、第２ロック部材６２はその接触を回避する側に回動して逃げるため、ガラス枠施錠杆３の上昇が妨げられることはなく、図２０のようにガラス枠施錠杆３が適正に上昇して解錠動作が行なわれる。
【００５０】
このように、パチンコ遊技機の表枠４６を施錠する表枠施錠杆２とともにガラス枠４７を施錠するガラス枠施錠杆３の両方を、施錠時にロックして、不正器具による不正解錠を防止することができる。さらに、表枠ロック機構５の第１ロック部材５１の当接部５０とガラス枠ロック機構６の第１ロック部材６１の当接部６０が本体ケース１の背面側または正面側に突き出す際の突出長は僅かとなるため、当接部５０，６０の突出が組み付け作業などの邪魔になることはない。また、表枠ロック機構５、ガラス枠ロック機構６ともに、受け金具１８，１９またはガラス枠に当接部５０，６０が当接するため、別に当て板を本体枠などに取り付ける必要がなく、部品点数や組付工数を削減することができる。
【００５１】
また、表枠ロック機構５の第１ロック部材５１と第２ロック部材５２は、表枠施錠杆２の長手方向に沿って連結配置され、ガラス枠ロック機構６の第１ロック部材６１と第２ロック部材６２はガラス枠施錠杆３の長手方向に沿って連結配置され、表枠ロック機構５の第１ロック部材５１及びガラス枠ロック機構６の第１ロック部材６１に設けられて受け金具１８，１９に当接する当接部５０、６０は、正面側または背面側に向けて略Ｌ字状に形成されるから、第１ロック部材５１，６１の当接部５０，６０が本体ケース１の背面側または正面側に突き出す際の突出長を少なくすることができる。
【００５２】
また、本体ケース１は、前後幅より正面幅が短い縦長の薄い方形箱状に形成され、略帯板状に形成された表枠施錠杆２及びガラス枠施錠杆３が重ね合わせた状態で本体ケース１内に収納され、本体ケース１の正面壁の一部を本体ケース１の側部開放側に延設してシリンダ錠用の錠取付部１１が形成され、シリンダ錠４は錠軸４１に固定したカム部材７を錠取付部１１の内側に位置させて取り付けられるから、シリンダ錠４の錠取付部１１を除いた本体ケース１を非常に薄型に形成することができ、パチンコ遊技機の表枠の狭小な部分にも装着することができる。
【００５３】
さらに、本体ケース１内に重ね合わせて配設された表枠施錠杆２及びガラス枠施錠杆３の間に、表枠ロック機構５の第１ロック部材５１及び第２ロック部材５２及びガラス枠ロック機構６の第１ロック部材６１及び第２ロック部材６２が揺動可能に枢支され、カム部材７の係合凸部７１，７２は表枠施錠杆２またはガラス枠施錠杆３に設けた開口部から表枠施錠杆２とガラス枠施錠杆３の間に進入し第２ロック部材５２，６２の先端に当接可能とすることができる。これによれば、表枠ロック機構５の第１ロック部材５１及び第２ロック部材５２及びガラス枠ロック機構６の第１ロック部材６１及び第２ロック部材６２が本体ケース１内に収納された表枠施錠杆２またはガラス枠施錠杆３によって完全に覆われるため、効果的に不正解錠を防止することができる。
【００５４】
なお、上記実施形態では、第１ロック部材６１の当接部６０をガラス枠４７の受け金具１９に当接させたが、ガラス枠４７の一部に第１ロック部材６１の当接部６０を当接させるようにすることもできる。
【符号の説明】
【００５５】
１      本体ケース
２      表枠施錠杆
３      ガラス枠施錠杆
４      シリンダ錠
５      表枠ロック機構
６      ガラス枠ロック機構
７      カム部材
１１    錠取付部
１２    スリット状開口部
１３    スリット
１４    取付縁部
１８    受け金具
１９    受け金具
２１    表枠用鉤部
２４    カム係合部
２７    ガイド孔
２８    ガイドピン
３１    ガラス枠用鉤部
３４    カム係合部
３７    ガイド孔
４１    錠軸
４２    フランジ部
４５    本体枠
４６    表枠
４７    ガラス枠
５０    当接部
５１    第１ロック部材
５２    第２ロック部材
５４    枢軸
５５    連結軸
６０    当接部
６１    第１ロック部材
６２    第２ロック部材
６４    枢軸
６５    連結軸
７１    係合凸部
７２    係合凸部
【図１】
0005940833.tif 000002
【図２】
0005940833.tif 000003
【図３】
0005940833.tif 000004
【図４】
0005940833.tif 000005
【図５】
0005940833.tif 000006
【図６】
0005940833.tif 000007
【図７】
0005940833.tif 000008
【図８】
0005940833.tif 000009
【図９】
0005940833.tif 000010
【図１０】
0005940833.tif 000011
【図１１】
0005940833.tif 000012
【図１２】
0005940833.tif 000013
【図１３】
0005940833.tif 000014
【図１４】
0005940833.tif 000015
【図１５】
0005940833.tif 000016
【図１６】
0005940833.tif 000017
【図１７】
0005940833.tif 000018
【図１８】
0005940833.tif 000019
【図１９】
0005940833.tif 000020
【図２０】
0005940833.tif 000021